(57)【特許請求の範囲】
【請求項１】
直管状の管本体部内に空気芯筒と螺旋案内路が設けられた内面螺旋案内路付き管であって、前記空気芯筒の側方の、前記螺旋案内路の上端部付近から上方の部分に、側縁に長手方向に沿って弾性体が装着された案内板が前記管本体部の内周面間を遮断するように立設されていることを特徴とする螺旋案内路付き管。
【請求項２】
直管状の管本体部内に空気芯筒と螺旋案内路が設けられた螺旋案内路付き管であって、前記空気芯筒の側方の、前記螺旋案内路の上端部付近から上方の部分に、案内板が前記管本体部の内周面間を遮断するように立設され、前記管本体部の内周面に、その内部に流入する流体による前記案内板の回転を阻止するリブが設けられていることを特徴とする螺旋案内路付き管。
【発明の詳細な説明】
【０００１】
【発明の属する技術分野】
本発明は、自然流下式の垂直下水道管路に使用して好適な螺旋案内路付き管に関するものである。
【０００２】
【従来の技術】
マンホール内に下水を流入させる際に、マンホール内に流入した下水を減衰させるため、例えば、実開平８─４１９１５号公報に記載されているように、マンホール内に垂直下水管路（ドロップシャフト）を配置する方法が実施されている。垂直下水管路には、垂直に配置された直管状の管本体部の内部に、下水を螺旋状態で流下するように案内する螺旋案内路が設けられた螺旋案内路付き管が使用されている。又、螺旋案内路の軸芯部には、螺旋案内路にて案内される下水中に含まれた空気を上方に排除するために空気芯筒が設けられている。
【０００３】
このうよな螺旋案内路付き管では、その上端部に流入する下水が、螺旋案内路に沿って流下する間に減衰される。従って、マンホールの底部等が、流下する下水によって強い衝撃を受けるおそれがなく、マンホール底部の摩耗が抑制される。
【０００４】
【発明が解決しようとする課題】
管本体部内に流入する下水を螺旋状に流下するように案内する螺旋案内路は、通常は、管本体部における下水流入部よりも下方に設けられている。従って、管本体部の上端部から下水が自然落下によって流入する場合には、下水は管本体部内の螺旋案内路に沿って円滑に流下することができず、騒音、臭気等が発生するおそれがある。
【０００５】
本発明は、このような従来の問題点を解消し、流入管から流れ込む流体を、騒音、臭気等の発生を抑制した状態で、ほぼ垂直な管本体部内に円滑に流下させることができる螺旋案内路付き管を提供することを目的としてなされたものである。
【０００６】
【課題を解決するための手段】
本願の請求項１に記載の発明（本発明１）は、直管状の管本体部内に空気芯筒と螺旋案内路が設けられた内面螺旋案内路付き管であって、前記空気芯筒の側方の、前記螺旋案内路の上端部付近から上方の部分に、側縁に長手方向に沿って弾性体が装着された案内板が前記管本体部の内周面間を遮断するように立設されている螺旋案内路付き管である。
【０００７】
本願の請求項２に記載の発明（本発明２）は、直管状の管本体部内に空気芯筒と螺旋案内路が設けられた螺旋案内路付き管であって、前記空気芯筒の側方の、前記螺旋案内路の上端部付近から上方の部分に、案内板が前記管本体部の内周面間を遮断するように立設され、前記管本体部の内周面に、その内部に流入する流体による前記案内板の回転を阻止するリブが設けられている螺旋案内路付き管である。
【０００８】
本発明において、管本体部、空気芯筒、螺旋案内路及び案内板を形成する材質としては、金属類をはじめ、プラスチックが挙げられる。
プラスチックとしては、熱可塑性樹脂では、ポリ塩化ビニルをはじめ、ポリエチレン、ポリプロピレン、メタクリル樹脂等が挙げられ、熱硬化性樹脂では、不飽和ポリエステル樹脂、ビニルエステル樹脂、エポキシ樹脂等が挙げられ、ガラス繊維等の無機繊維、炭素繊維、アラミド繊維、ビニロン繊維等の有機繊維にて強化したものとして使用することができる。
【０００９】
螺旋案内路の各路の高さは、縦管の径の１／２０〜５／１２程度が好ましい。螺旋案内路の肉厚は、口径によっても異なるが、通常、縦管の内径の１／２０〜１５／１００程度が好ましい。
螺旋案内路の螺旋ピッチは、１〜１０程度が好ましい。
【００１０】
本発明１において、弾性体を形成する材質としては、ポリ塩化ビニル、ポリエチレンやポリプロピレン等のポリオレフィン、ポリスチレン等の発泡しうる樹脂の発泡体や、ポリウレタン発泡体や、天然ゴムやＳＢＲ、ＮＢＲ、ＥＰＤＭ、クロロプレンゴム、ブチルゴム、シリコンゴム等の合成ゴムなどのゴム材が使用される。特にコスト、耐食性からＳＢＲが好ましい。
【００１１】
【作用】
本発明１の螺旋案内路付き管は、直管状の管本体部内に空気芯筒と螺旋案内路が設けられた内面螺旋案内路付き管であって、前記空気芯筒の側方の、前記螺旋案内路の上端部付近から上方の部分に、側縁に長手方向に沿って弾性体が装着された案内板が前記管本体部の内周面間を遮断するように立設されていることにより、流入管より管本体部内に流入する下水は、弾性体により管本体部の内周面にその摩擦抵抗にて回転を阻止された状態の案内板に遮られて、周方向に沿って一方向にのみ流動することになり、螺旋案内路の旋回方向に沿って円滑に流動するように案内されるとともに、案内板に衝突することにより、一層減衰される。
【００１２】
本発明２の螺旋案内路付き管は、前記空気芯筒の側方に、前記空気芯筒の側方の、前記螺旋案内路の上端部付近から上方の部分に、案内板が前記管本体部の内周面間を遮断するように立設され、前記管本体部の内周面に、その内部に流入する流体による前記案内板の回転を阻止するリブが設けられていることにより、流入管より管本体部内に流入する下水は、リブにより回転を阻止された案内板に遮られて、周方向に沿って一方向にのみ流動することになり、螺旋案内路の旋回方向に沿って円滑に流動するように案内されるとともに、案内板に衝突することにより、一層減衰される。
【００１３】
【発明の実施の形態】
以下、本発明の実施の形態を、図面を参照して説明する。
図１は、本発明の螺旋案内路付き管の一例を示す断面図、図２はそのＡ−Ａ線に沿う断面図、図３はその要部を示す斜視図である。
【００１４】
図１〜図３に示すように、螺旋案内路付き管１は、管本体部１１と、螺旋案内路１２と、空気芯筒１３を備えている。
管本体部１１内の上部には、略中心部に、内部が中空とされた空気芯筒１３が立設されている。
【００１５】
管本体部１１の内周面と、空気芯筒１３の外周面との間に、螺旋案内路１２が配設されている。
本本体部１１の上端部の、螺旋案内路１２の上端部より上方の位置に、流入管１４が接続されている。
【００１６】
空気芯筒１３の側方の、螺旋案内路１２の上端部付近から上方の部分に、側縁に長手方向に沿って弾性体１６が装着された案内板１５が管本体部１１の内周面間を遮断するように立設されており、弾性体１６の側縁は、管本体部１１の内周面に当接されている。
【００１７】
以下、上記の螺旋案内路付き管の使用状態を図２を参照して説明する。
下水管よりマンホール内に進入する下水Ｍは、流入管１４から、管本体部１１内に流入する。
このとき、空気芯筒１３の側方の、螺旋案内路１２の上端部付近から上方の部分に、側縁に長手方向に沿って弾性体１６が装着された案内板１５が管本体部１１の内周面間を遮断するように立設されているので、下水Ｍは、弾性体１６により管本体部１１の内周面にその摩擦抵抗にて回転を阻止された状態の案内板１５に遮られて、周方向に沿って一方向にのみ流動することになり、螺旋案内路１２の旋回方向に沿って円滑に流動するように案内される。又、下水Ｍは案内板１５に衝突することにより、一層減衰される。
【００１８】
図４は、本発明の螺旋案内路付き管の別の例を示す断面図、図５はそのＢ−Ｂ線に沿う断面図である。
【００１９】
図４及び図５に示すように、螺旋案内路付き管２は、管本体部２１と、螺旋案内路２２と、空気芯筒２３を備えている。
管本体部２１内の上部には、略中心部に、内部が中空とされた空気芯筒２３が立設されている。
【００２０】
管本体部２１の内周面と、空気芯筒２３の外周面との間に、螺旋案内路２２が配設されている。
本本体部２１の上端部の、螺旋案内路１２の上端部より上方の位置に、流入管２４が接続されている。
【００２１】
空気芯筒２３の側方の、螺旋案内路２２の上端部付近から上方の部分に、側縁に長手方向に沿って案内板２５が管本体部２１の内周面間を遮断するように立設されている。
管本体部２１の内周面に、その内部に流入する流体による案内板２５の回転を阻止するリブ２６，２６が、案内板２５の一面側に設けられている。
【００２２】
以下、上記の螺旋案内路付き管の使用状態を図４を参照して説明する。
下水管よりマンホール内に進入する下水Ｍは、流入管２４から、管本体部２１内に流入する。
このとき、空気芯筒２３の側方の、螺旋案内路２２の上端部付近から上方の部分に、案内板２５が管本体部２１の内周面間を遮断するように立設され、管本体部２１の内周面に、その内部に流入する流体による案内板２５の回転を阻止するリブ２６，２６が設けられているので、下水Ｍは、案内板２５に遮られて、周方向に沿って一方向にのみ流動することになり、螺旋案内路２２の旋回方向に沿って円滑に流動するように案内される。又、下水Ｍは案内板２５に衝突することにより、一層減衰される。
【００２３】
図６は、本発明の螺旋案内路付き管の更に別の例を示す断面図である。
この例の螺旋案内路付き管では、図４及び図５を参照して説明したものに加えて、管本体部３１の内周面に、その内部に流入する流体による案内板３５の両側にその回転を阻止するリブ３６，３７が設けられている。
それ以外の構造は、図４及び図５を参照して説明したものと同じであるので、図中に対応する図番を付して詳細な説明は省略する。
【００２４】
【発明の効果】
本発明の螺旋案内路付き管は、上記のとおりにされているので、流入管から流れ込む流体を、騒音、臭気等の発生を抑制した状態で、ほぼ垂直な管本体部内に周方向に沿って一方向にのみ流動させるように円滑に流下させることができる。
【図面の簡単な説明】
【図１】本発明の螺旋案内路付き管の一例を示す一部断面図である。
【図２】図１に示す例のＡ─Ａ線に沿う一部断面図である。
【図３】図１に示す例の要部を示す斜視図である。
【図４】本発明の螺旋案内路付き管の別の例を示す断面図である。
【図５】図４に示す例のＢ−Ｂ線に沿う断面図である。
【図６】本発明の螺旋案内路付き管の更に別の例を示す断面図である。
【符号の説明】
１，２，３  螺旋案内路付き管
１１，２１，３１  管本体部
１２，２２，３２  螺旋案内路
１３，２３，３３  空気芯筒
１４，２４，３４  流入管
１５，２５，３５  案内板
１６  弾性体
２６，３６，３７  リブ
【図１】
0003545936.tif 000002
【図２】
0003545936.tif 000003
【図３】
0003545936.tif 000004
【図４】
0003545936.tif 000005
【図５】
0003545936.tif 000006
【図６】
0003545936.tif 000007